(57)【要約】【課題】ニス循環装置で異常が発生した場合に発生する不良シートを可及的少なく抑えることが可能な印刷機を提供する。【解決手段】シート供給部と、ニス転写装置と、ニス循環装置３５とを備える。ニス循環装置３５の被点検部（チャンバー４１、液受け槽６７、ニスタンク６３）において点検が必要であるか否かを検知するための検知装置（チャンバー位置センサ５５，５６、液面検知センサ７１，７４、ニス温度センサ７３）を備える。検知装置において被点検部の点検が必要であることが検知された場合にシートの供給が停止されるようにシート供給部の動作を制御する制御装置を備えた。【選択図】  図２
2016064615.tif 000002
【特許請求の範囲】
【請求項１】
被印刷媒体であるシートを供給するシート供給装置と、
印刷後のシートにニスを転写するニス転写装置と、
前記ニス転写装置にニスを供給するとともに余剰のニスを回収するニス循環装置と、
前記ニス循環装置の被点検部において点検が必要であるか否かを検知するための検知装置と、
前記検知装置において前記被点検部の点検が必要であることが検知された場合にシートの供給が停止されるように前記シート供給装置の動作を制御する制御装置とを備えたことを特徴とする印刷機。
【請求項２】
請求項１記載の印刷機において、
さらに、表示装置を備え、
前記被点検部は、複数のニス取扱い部からなり、
前記制御装置は、前記ニス取扱い部のうち点検が必要になったニス取扱い部を特定し、前記表示装置に表示させるものであることを特徴とする印刷機。
【発明の詳細な説明】
【技術分野】
【０００１】
本発明は、被印刷媒体であるシートまたはウェブにニスを転写するニス転写装置を備えた印刷機に関するものである。
【背景技術】
【０００２】
従来のこの種の印刷機としては、例えば特許文献１に記載されているものがある。特許文献１に開示された印刷機のニス転写装置は、ニスをニス舟から複数のローラを介してコータ胴に転写し、このコータ胴と圧胴との間を通過する紙に塗布する構成が採られている。ニスは、ニスタンクからニス循環装置によってニス舟に供給される。ニス舟で余った余剰のニスは、ニス循環装置によってニスタンクに戻される。
従来のニス転写装置は、印刷機に周辺機器として装備されており、印刷機とは独立した制御系や操作系を有している。このため、ニス循環装置は、専用の操作パネルを有し、装置内の異常の有無を検知して異常検知時に警報を発する構成が採られている。
【先行技術文献】
【特許文献】
【０００３】
【特許文献１】特開平４−４７９４３号公報
【発明の概要】
【発明が解決しようとする課題】
【０００４】
従来の印刷機において、ニス転写装置で不具合が発生した場合の印刷機の動作は、操作者の判断に委ねられている。すなわち、操作者がその不具合に対応する操作が必要であるか否かを判断し、その後に印刷機を操作する。このため、印刷を停止しなければならないような異常がニス循環装置で発生した場合は、操作者がニス循環装置で発生している警報を確認した後に印刷機を停止することになる。この場合、異常発生から印刷機が停止するまでの間にニス転写不良のシートが発生する。操作者がニス循環装置の異常に気づかなければ、不良シートはさらに多くなる。
【０００５】
本発明はこのような問題を解消するためになされたもので、ニス循環装置で異常が発生した場合に発生する不良シートを可及的少なく抑えることが可能な印刷機を提供することを目的とする。
【課題を解決するための手段】
【０００６】
この目的を達成するために、本発明に係る印刷機は、被印刷媒体であるシートを供給するシート供給装置と、印刷後のシートにニスを転写するニス転写装置と、前記ニス転写装置にニスを供給するとともに余剰のニスを回収するニス循環装置と、前記ニス循環装置の被点検部において点検が必要であるか否かを検知するための検知装置と、前記検知装置において前記被点検部の点検が必要であることが検知された場合にシートの供給が停止されるように前記シート供給装置の動作を制御する制御装置とを備えたものである。
【０００７】
本発明は、前記印刷機において、さらに、表示装置を備え、前記被点検部は、複数のニス取扱い部からなり、前記制御装置は、前記ニス取扱い部のうち点検が必要になったニス取扱い部を特定し、前記表示装置に表示させるものであってもよい。
【発明の効果】
【０００８】
本発明に係る印刷機において、ニス循環装置の被点検部において異常が発生した場合は、この異常を検知装置が検知する。そして、制御装置がシート供給装置の動作を制御し、シート供給装置によるシートの供給が停止する。このため、ニス循環装置で異常が発生していることを操作者が気づかず、印刷機が印刷を続けてしまうことはなくなる。
したがって、本発明によれば、ニス循環装置で異常が発生した場合に発生する不良シートを可及的少なく抑えることが可能な印刷機を提供することができる。
【図面の簡単な説明】
【０００９】
【図１】本発明に係る印刷機の構成を示す側面図である。
【図２】ニス循環装置の構成を示す配管図である。
【図３】チャンバー用駆動機構の構成を示す側面図である。図３（Ａ）は、ニス転写時の状態を示し、図３（Ｂ）は、チャンバーがアニロックスローラから離脱している状態を示している。
【図４】制御系の構成を示すブロック図である。
【発明を実施するための形態】
【００１０】
以下、本発明に係る印刷機の一実施の形態を図１〜図４によって詳細に説明する。
図１に示す印刷機１は、枚葉オフセット印刷機である。この印刷機１は、図１において最も右に位置するシート供給部２から印刷部３に被印刷媒体であるシート４を搬送し、この印刷部３においてシート４の片面または両面に印刷を施すものである。シート供給部２は、本発明でいう「シート供給装置」に相当するもので、シート４を１枚ずつフィーダーボード５に供給する。シート供給部２の動作は、後述する制御装置６（図４参照）によって制御される。
【００１１】
シート４は、シート供給部２からフィーダーボード５とスイング装置７とによって印刷部３の渡し胴８に送られる。
印刷部３は、第１〜第４の表面印刷ユニット１１〜１４と、第１〜第４の裏面印刷ユニット１５〜１８とを備えている。これらの印刷ユニットは、それぞれ圧胴１９と、ゴム胴２０と、版胴２１と、インキ装置２２と、給水装置２３などを備えている。
圧胴１９は、シート４をくわえる爪（図示せず）を備え、隣接する印刷ユニットの圧胴１９にシート４を送る機能を有している。第４の裏面印刷ユニット１８の圧胴１９は、後述するコーティング部２４のゴム圧胴３１にシート４を送る。
【００１２】
ゴム胴２０は、圧胴１９に対接し、圧胴１９との間に挟み込まれたシート４にインキを転写する。
版胴２１は、ゴム胴２０に対接し、ゴム胴２０にインキを転写する。
インキ装置２２は、版胴２１にインキを供給するものである。給水装置２３は、版胴２１に水を供給するものである。
【００１３】
印刷部３において印刷が終了したシート４は、コーティング部２４でコーティングが施された後にシート排出部２５においてシート排出パイル２６に排出される。シート排出部２５は、排出チェーン２７を用いてシート４を搬送するものである。
【００１４】
コーティング部２４は、ゴム圧胴３１に対接する第１および第２の転写胴３２，３３を有するニス転写装置３４と、このニス転写装置３４にニスを供給するためのニス循環装置３５（図２参照）などを備えている。
第１の転写胴３２は、ゴム圧胴３１の下部に対接している。この第１の転写胴３２には、第１のアニロックスローラ３６が対接している。第２の転写胴３３は、ゴム圧胴３１の上部に対接している。この第２の転写胴３３には、ニス膜形成胴３７が対接している。ニス膜転写胴３７には、第２のアニロックスローラ３８が対接している。
第１のアニロックスローラ３６と第２のアニロックスローラ３８は、従来からよく知られているように、外周面に多数の凹溝（図示せず）が形成されているものである。
【００１５】
第１、第２のアニロックスローラ３６，３８には、図２に示すように、後述するニス循環装置３５の一部を構成するチャンバー４１が接続されている。チャンバー４１は、本発明でいう「複数のニス取扱い部」の１つを構成するものである。このチャンバー４１は、図３（Ａ），（Ｂ）に示すように、第１、第２のアニロックスローラ３６，３８に接触するドクターブレード４２を有しかつこのドクターブレード４２が壁の一部となる液体貯留部４３を有している。この液体貯留部４３は、コーティング液としてのニス４４（図２参照）を溜めるためのものである。ニス４４は、ドクターブレード４２が第１、第２のアニロックスローラ３６，３８に接触している状態で液体貯留部４３内に送りポンプ４５（図２参照）によって供給される。
【００１６】
チャンバー４１は、図３に示すように、支持用ホルダー４６に取付けられており、図示していない印刷機フレームに第１の支軸４７を介して揺動自在に支持されている。第１の支軸４７は、チャンバー４１の一方のドクターブレード４２の近傍に位置しており、支持用ホルダー４６の一端部を揺動自在に支持している。支持用ホルダー４６の他端部には、エアシリンダ４８が接続されている。
【００１７】
このエアシリンダ４８は、チャンバー４１を図３（Ａ）に示す使用位置と、図３（Ｂ）に示す退避位置との間で移動させるためのものである。チャンバー４１は、ニスを第１および第２のアニロックスローラ３６，３８に供給するときに使用位置に位置付けられる。また、チャンバー４１は、メンテナンス時などでニスを第１および第２のアニロックスローラ３６，３８に供給することがない場合に退避位置に位置付けられる。
エアシリンダ４８は、シリンダ本体４８ａの先端部に設けられた第２の支軸４９と、ピストンロッド５０の先端部にリンク５１を介して連結された第３の支軸５２とによって印刷機フレームに揺動自在に支持されている。
【００１８】
ピストンロッド５０の先端部には、コロ５３が回転自在に取付けられている。このコロ５３は、図３（Ａ）に示すように、エアシリンダ４８が縮むことにより支持用ホルダー４６の押圧片４６ａを押す。このように押圧片４６ａがコロ５３により押されることによって、チャンバー４１が使用位置に位置付けられる。
一方、コロ５３は、図３（Ｂ）に示すように、エアシリンダ４８が伸びることによって、支持用ホルダー４６に形成されている凹部５４の上壁を斜め上方に向けて押す。このように凹部５４の上壁がコロ５３によって押されることによって、チャンバー４１が退避位置に位置付けられる。
【００１９】
エアシリンダ４８には、チャンバー４１の位置を検知するためにチャンバー位置センサ５５，５６が設けられている。チャンバー位置センサ５５，５６は、例えばピストン（図示せず）の位置を検知するものを用いることができる。このチャンバー位置センサ５５，５６は、チャンバー４１の位置を特定可能なデータを信号として制御装置６に送る。このチャンバー４１の位置とは、上述した使用位置と退避位置とのうちいずれか一方の位置である。このチャンバー位置センサ５５，５６は、本発明でいう「検知装置」の一部を構成するものである。
【００２０】
ニス循環装置３５は、図２に示すように、チャンバー４１にニス４４を供給するためのニス供給通路６１と、チャンバー４１で余った余剰のニス４４を回収するためのニス戻り通路６２とを備えている。ニス供給通路６１は、図２に示すチャンバー４１の下端部に接続され、ニス戻り通路６２は、チャンバー４１の上端部に接続されている。チャンバー４１は、これらのニス供給通路６１とニス戻り通路６２とを介してニスタンク６３に接続されている。
【００２１】
ニスタンク６３は、ニス４４を貯留するとともに所定の温度に加熱するためのものである。また、このニスタンク６３は、本発明でいう「複数のニス取扱い部」の１つを構成するものである。ニス供給通路６１の途中には、送りポンプ４５と、開閉弁６４，６５と、アキュムレータ６６とが設けられている。
【００２２】
ニス戻り通路６２の途中には、チャンバー４１の上端部から排出されたニス４４を受ける液受け槽６７と、戻りポンプ６８と、開閉弁６９とが設けられている。液受け槽６７には、液受け槽６７内のニス４４の液面の高さを検知する液面検知センサ７１が設けられている。この液面検知センサ７１は、液受け槽６７のニスの液面の高さをデータとして制御装置６に送る。液受け槽６７は、本発明でいう「被点検部」の一部を構成するものであり、液面検知センサ７１は、本発明でいう「検知装置」の一部を構成するものである。
【００２３】
図２には図示してはいないが、第１のアニロックスローラ３６に接触するチャンバー４１と、第２のアニロックスローラ３８に接触するチャンバー４１とは、ニス供給通路６１の一部を共有するとともに、ニス戻り通路６２の一部を共有している。ニス供給通路６１の共有部分は、アキュムレータ６６を含めてアキュムレータ６６よりニスタンク６３側となる上流部である。ニス戻り通路６２の共有部分は、戻りポンプ６８を含めて戻りポンプ６８よりニスタンク６３側となる下流部である。
【００２４】
ニスタンク６３内のニス４４は、ニスタンク６３に設けられているヒータ７２によって予め定められた温度に加熱され、送りポンプ４５によってニス供給通路６１を通してチャンバー４１に供給される。
ニスタンク６３内のニス４４の温度は、ニスタンク６３に設けられているニス温度センサ７３によって検知され、この検知温度と予め定めた目標温度とが一致するように制御される。ニス４４の温度を上昇させるときは、ヒータ７２が発熱する。
【００２５】
ニス温度センサ７３は、ニスタンク６３内のニス４４の温度をデータとして制御装置６に送る。このニス温度センサ７３は、本発明でいう「検知装置」の一部を構成するものである。
チャンバー４１で使用されずにチャンバー４１から排出されたニス４４は、液受け槽６７に流下し、この液受け槽６７から戻りポンプ６８によって液受け槽６７より下流側の戻り通路６２を通してニスタンク６３に戻される。
【００２６】
ニスタンク６３は、ニス４４が貯留される貯留部６３ａと、この貯留部６３ａの上端部に載置された蓋部６３ｂとによって構成されている。貯留部６３ａは、上方に向けて開口する有底円筒状に形成されている。蓋部６３ｂは、貯留部６３ａの上端部を挿入可能な開口部を有する有底円筒状に形成されている。この蓋部６３ｂは、貯留部６３ａの上端部に被せられた状態で着脱可能に固定されている。
【００２７】
蓋部６３ｂには、複数の機能部品が取り付けられている。これらの複数の機能部品とは、上述したヒータ７２と、ニス温度センサ７３と、ニスタンク６３内のニスの液面の高さを検知する液面検知センサ７４などである。ヒータ７２は、通電されることにより発熱する発熱部７５を有している。ニス温度センサ７３は、貯留部６３ａ内で上下方向に延びる検知部７３ａを有している。
液面検知センサ７４は、ニスタンク６３内のニスの液面の高さをデータとして制御装置６に送る。この液面検知センサ７４は、本発明でいう「検知装置」の一部を構成するものである。なお、図示してはいないが、ニスタンク６３には、ニスを攪拌するための攪拌装置を備えることができる。
【００２８】
制御装置６は、図４に示すように、上述した各種のセンサからなる検知装置８１と、シート供給部２および表示装置８２とが接続されている。表示装置８２は、この印刷機１の稼働速度や印刷の進捗状況などの印刷状況や各種の警告内容などを表示する機能を有している。また、制御装置６は、判定部８３を備えている。
【００２９】
判定部８３は、ニス循環装置３５のニス取扱い部（チャンバー４１、液受け槽６７およびニスタンク６３）に点検が必要であることが上述したセンサ（チャンバー位置センサ５５，５６、液面検知センサ７１，７４、ニス温度センサ７３）によって検知された場合に、シート４の供給が停止されるようにシート供給部２の動作を制御する。また、判定部８３は、このときに点検が必要になったニス取扱い部を特定し、表示装置８２にニス取扱い部の名称や点検が必要である理由などを表示させる。
【００３０】
詳述すると、判定部８３は、ニスタンク６３の液面検知センサ７４によって検知されたニスの液面が予め定めた最低高さを下回った場合にシート供給部２を停止させる。また、この場合、判定部８３は、表示装置８２にニスタンク６３内のニスが不足していることを示す文字や絵柄などを表示させる。ニスタンク６３の液面が過度に低下する理由は、ニス循環装置３５の異常だけではなく、ニス４４の消費に対してニス４４の補充が遅れた場合等が考えられる。しかし、ニスタンク６３の液面低下は転写不良のシートが発生する原因になるから、このような場合はシート４の供給を停止する。
【００３１】
また、判定部８３は、ニス温度センサ７３によって検知されたニスタンク６３内のニスの温度が予め定めた最高温度を上回っていたり、予め定めた最低温度を下回っている場合に、シート供給部２を停止させる。また、この場合、判定部８３は、表示装置８２にニスタンク６３内のニスの温度が異常であることを示す文字や絵柄などを表示させる。
さらに、判定部８３は、液受け槽６７の液面検知センサ７１によって検知されたニスの液面が予め定めた最大高さを超えた場合にシート供給部２を停止させる。また、この場合、判定部８３は、表示装置８２に液受け槽６７の液面が異常であることを示す文字や絵柄などを表示させる。
加えて、判定部８３は、チャンバー位置センサ５５，５６によって検知されたチャンバー４１の位置が目標とする位置と異なる場合にシート供給部２を停止させる。また、この場合、判定部８３は、表示装置８２にチャンバー４１の位置が異常であることを示す文字や絵柄などを表示させる。
【００３２】
このように構成された印刷機１において、ニス循環装置３５の被点検部（チャンバー４１、液受け槽６７およびニスタンク６３）において異常が発生した場合は、この異常を検知装置（チャンバー位置センサ５５，５６、液面検知センサ７１，７４、ニス温度センサ７３）が検知する。そして、制御装置６がシート供給部２の動作を制御し、シート供給部２によるシート４の供給が停止する。
【００３３】
このため、この印刷機１においては、ニス循環装置３５で異常が発生していることを操作者が気づくことなく、印刷機１が印刷を続けてしまうことはなくなる。
したがって、この実施の形態によれば、ニス循環装置３５で異常が発生した場合に発生する不良シートを可及的少なく抑えることが可能な印刷機を提供することができる。
【００３４】
この実施の形態による制御装置６は、複数のニス取扱い部のうち点検が必要になったニス取扱い部を特定し、表示装置８２に表示させるものである。
この実施の形態によれば、表示装置８２を作業者が視認することによって、ニス循環装置３５の異常発生箇所を容易に特定できる。このため、ニス循環装置３５を正常な状態に戻す作業を速やかに行うことができ、印刷機が停止している時間を可及的短くすることができる。したがって、ニス循環装置３５で異常が発生したとしてもそれほど生産性が低くなることがない印刷機を提供することができる。
【符号の説明】
【００３５】
１…印刷機、２…シート供給部（シート供給装置）、４…シート、６…制御装置、３４…ニス転写装置、３５…ニス循環装置、４１…チャンバー（被点検部、ニス取扱い部）、５５，５６…チャンバー位置センサ（検知装置）、６３…ニスタンク（被点検部、ニス取扱い部）、６７…液受け槽（被点検部、ニス取扱い部）、７１，７４…液面検知センサ（検知装置）、７３…ニス温度センサ（検知装置）、８１…検知装置、８３…判定部。
【図１】
2016064615.tif 000003
【図２】
2016064615.tif 000004
【図３】
2016064615.tif 000005
【図４】
2016064615.tif 000006